(57)【要約】【課題】可視光の広角照射及び紫外線の狭角照射の双方を可能とする低コストな照明器具を提供する。【解決手段】照明器具１は、可視光を照射する照明用ＬＥＤ２３及び紫外線を照射するＵＶＬＥＤ２４が実装面２２に実装されたＬＥＤ基板２と、実装面２２に対向する第１の主面３１ａ及び第１の主面３１ａに平行な第２の主面３２ｂを有し、照明用ＬＥＤ２３に対応する位置において第１の主面３１ａから第２の主面３２ｂにかけて相対的に広角に開口する反射面３５で画定される第１の開口孔３３及びＵＶＬＥＤ２４に対応する位置において第１の主面３１ａから第２の主面３２ｂにかけて相対的に狭角に開口する反射面３６で画定される第２の開口孔３４を有する反射鏡３と、ＬＥＤ基板２及び反射鏡３を相互に固定する器具筐体５とを備える。【選択図】  図１
2020009698.tif 000002
【特許請求の範囲】
【請求項１】
照明器具であって、
可視光を照射する照明用ＬＥＤ及び紫外線を照射するＵＶＬＥＤが実装面に実装されたＬＥＤ基板と、
前記実装面に対向する第１の主面及び該第１の主面に平行な第２の主面を有し、前記照明用ＬＥＤに対応する位置において前記第１の主面から前記第２の主面にかけて相対的に広角に開口する反射面で画定される第１の開口孔、及び前記ＵＶＬＥＤに対応する位置において前記第１の主面から前記第２の主面にかけて相対的に狭角に開口する反射面で画定される第２の開口孔を有する反射鏡と、
前記ＬＥＤ基板及び前記反射鏡を相互に固定する器具筐体と
を備える照明器具。
【請求項２】
前記ＵＶＬＥＤが複数のＵＶＬＥＤからなり、前記第２の開口孔が複数の第２の開口孔からなり、前記複数のＵＶＬＥＤが前記照明用ＬＥＤを中心とする円周上に配置され、前記複数の第２の開口孔が前記第１の開口孔を中心とする円周上において前記複数のＵＶＬＥＤに対応して配置された、請求項１に記載の照明器具。
【請求項３】
前記反射鏡の第２の主面側に配置され、前記第１の開口孔を覆う粗面化された拡散領域及び前記第２の開口孔を覆う透明領域を有する前面ガラスをさらに備えた請求項１又は２に記載の照明器具。
【請求項４】
前記拡散領域の粗面化の処理が、前記前面ガラスの上面又は下面の少なくとも一方のすり加工又はフロスト加工である、請求項３に記載の照明器具。
【請求項５】
前記反射鏡が、前記第１の主面側の第１の反射鏡及び前記第２の主面側の第２の反射鏡の積層体からなり、前記第１の開口の前記反射面孔及び前記第２の開口孔の前記反射面のそれぞれが前記第１の反射鏡と前記第２の反射鏡との間で連続的に形成されるように前記第１の反射鏡と前記第２の反射鏡とが当接された、請求項１から４のいずれか一項に記載の照明器具。
【請求項６】
前記第１の反射鏡と前記第２の反射鏡の当接面において、前記第１の反射鏡又は前記第２反射鏡の一方が前記第１の開口孔及び前記第２の開口孔の全体を囲む凸部を有し、前記第１の反射鏡又は前記第２の反射鏡の他方が前記凸部と嵌合する凹部を有する、請求項５に記載の照明器具。
【請求項７】
前記反射鏡が、金属材料が蒸着された樹脂材料で構成されたものである、請求項１から６のいずれか一項に記載の照明器具。
【請求項８】
前記反射鏡が、プレス加工された金属材料で構成されたものである、請求項１から５のいずれか一項に記載の照明器具。
【請求項９】
前記ＬＥＤ基板の前記実装面に対向する基板背面に接触配置されたヒートシンクをさらに備える、請求項１から８のいずれか一項に記載の照明器具。
【発明の詳細な説明】
【技術分野】
【０００１】
本発明は、照明器具に関し、特に光触媒用近紫外線光源を有する照明器具に関する。
【背景技術】
【０００２】
特許文献１の照明器具は、広角用レンズに対応する広角用のＬＥＤと、広角用レンズより配光角度が狭い狭角用レンズに対応する狭角用のＬＥＤとを備える。照明器具は、並列配置された広角用スライドボリュームと狭角用スライドボリュームとを備える。広角用スライドボリュームは、所定の方向に操作されると広角用のＬＥＤの光出力を減少させ、上記所定の方向と逆方向に操作されると広角用のＬＥＤの光出力を増加させるように構成される。狭角用スライドボリュームは、上記所定の方向に操作されると狭角用のＬＥＤの光出力を増加させ、上記所定の方向と逆方向に操作されると狭角用のＬＥＤの光出力を減少させるように構成される。
【先行技術文献】
【特許文献】
【０００３】
【特許文献１】特開２０１２−１４９８０号公報
【発明の概要】
【発明が解決しようとする課題】
【０００４】
ところで、光触媒加工が施されているトイレ、シンクなどの対象物に紫外線（ＵＶ）が照射されると、その表面で汚染物質が分解され、防汚、脱臭、抗菌、浄化などの効果が得られることが知られている。ＵＶがトイレなどの対象物以外の箇所に照射されると、その被照射物によってはＵＶに起因して劣化してしまう場合があるため、ＵＶの照射は対象物に対して指向性を高めて行うことが望ましい。上記特許文献１の構成によると、ＬＥＤの配光（広角又は狭角）が各ＬＥＤに対応したレンズによって調整され、一部の所定のＬＥＤについての狭角配光が可能となる。しかし、この狭角配光構成をＵＶＬＥＤによるＵＶ照射に適用しようとすると、特に狭角用レンズの選定に困難が伴う。安価な樹脂製のレンズを用いるとそのレンズがＵＶによって劣化してしまい、一方、ガラス製のレンズを用いるとＵＶによる劣化は回避されるものの、ガラス製レンズ自体が高価であるため、照明器具が高コスト化してしまうという問題がある。
【０００５】
そこで、本発明は、可視光の広角照射及び紫外線の狭角照射の双方を可能とする低コストな照明器具を提供することを課題とする。
【課題を解決するための手段】
【０００６】
本発明の照明器具は、可視光を照射する照明用ＬＥＤ及び紫外線を照射するＵＶＬＥＤが実装面に実装されたＬＥＤ基板と、実装面に対向する第１の主面及び第１の主面に平行な第２の主面を有し、照明用ＬＥＤに対応する位置において第１の主面から第２の主面にかけて相対的に広角に開口する反射面で画定される第１の開口孔、及びＵＶＬＥＤに対応する位置において第１の主面から第２の主面にかけて相対的に狭角に開口する反射面で画定される第２の開口孔を有する反射鏡と、ＬＥＤ基板及び反射鏡を相互に固定する器具筐体とを備える。
【０００７】
上記構成の照明器具によると、反射鏡が、照明用ＬＥＤに対応する位置において相対的に広角で開口する反射面で画定される第１の開口孔、及びＵＶＬＥＤに対応する位置において相対的に狭角で開口する反射面で画定される第２の開口孔を有する。このように、レンズを用いることなく可視光の広角照射とＵＶの狭角照射とが両立される。したがって、可視光の広角照射及びＵＶの狭角照射の双方を可能とする低コストな照明器具が実現される。
【０００８】
ここで、ＵＶＬＥＤは複数のＵＶＬＥＤからなり、第２の開口孔は複数の第２の開口孔からなり、複数のＵＶＬＥＤは照明用ＬＥＤを中心とする円周上に配置され、複数の第２の開口孔は第１の開口孔を中心とする円周上において複数のＵＶＬＥＤに対応して配置される。これにより、比較的高出力の発光が可能な照明用ＬＥＤ及び比較的低出力のＵＶＬＥＤについて、スペース効率の高い合理的配置が実現され、さらに照明器具の汎用性が確保される。
【０００９】
また、照明器具は、反射鏡の第２の主面側に配置され、第１の開口孔を覆う粗面化された拡散領域及び第２の開口孔を覆う透明領域を有する前面ガラスをさらに備えることが望ましい。これにより、照明用ＬＥＤからの可視光照射の更なる広角化が可能となるとともに、照明器具の耐ＵＶ性及び低コスト性が保持される。なお、拡散領域の粗面化の処理は、前面ガラスの上面又は下面の少なくとも一方のすり加工又はフロスト加工であることが好ましい。これにより、前面ガラスの低コスト性が保持される。
【００１０】
また、反射鏡は、第１の主面側の第１の反射鏡及び第２の主面側の第２の反射鏡の積層体からなり、第１の開口孔の反射面及び第２の開口孔の反射面のそれぞれが第１の反射鏡と第２の反射鏡との間で連続的に形成されるように第１の反射鏡と第２の反射鏡とが当接されるように構成され得る。これにより、反射鏡に蒸着処理が施される場合に、第１の反射鏡及び第２の反射鏡のそれぞれにおいて各開口孔の低いアスペクト比が確保され、効率的かつ均一な蒸着膜の形成が可能となる。
【００１１】
さらに、第１の反射鏡と第２の反射鏡の当接面において、第１の反射鏡又は第２の反射鏡の一方が第１の開口孔及び第２の開口孔の全体を囲む凸部を有し、第１の反射鏡又は第２の反射鏡の他方は凸部と嵌合する凹部を有することが好ましい。これにより、各開口孔から上記当接面を介して反射鏡外部に漏れ得るＵＶが凸部によって遮蔽されるので、外部部材におけるＵＶ照射に起因する劣化が抑制される。また、凸部及び凹部の嵌合によって、第１の反射鏡と第２の反射鏡との位置決めが促進される。
【００１２】
反射鏡は、金属材料が蒸着された樹脂材料で構成され得る。これにより照明器具の軽量化が可能となる。また、反射鏡は、プレス加工された金属材料で構成されてもよい。これにより、反射鏡の量産性が高まり、加工コストの低減が可能となる。
【００１３】
照明器具は、ＬＥＤ基板の実装面に対向する基板背面に接触配置されたヒートシンクをさらに備えることが望ましい。このように、照明器具の温度上昇が抑制されることにより、照明用ＬＥＤ及びＵＶＬＥＤの動作温度が適正化されるだけでなく、ＬＥＤ基板、反射鏡、器具筐体などの熱膨張係数の相違に起因する配光のずれが抑制される。
【図面の簡単な説明】
【００１４】
【図１】本発明の実施形態による照明器具を示す分解斜視図である。
【図２】本発明の実施形態による照明器具を示す側方断面図である。
【図３】本発明の実施形態による照明器具における反射鏡を説明する図である。
【図４Ａ】本発明の実施形態によるＵＶＬＥＤ照射システムのブロック図である。
【図４Ｂ】本発明の実施形態によるＵＶＬＥＤ照射システムのブロック図である。
【図４Ｃ】本発明の実施形態によるＵＶＬＥＤ照射システムのブロック図である。
【図５Ａ】本発明の実施形態におけるＵＶＬＥＤ点灯装置のブロック図である。
【図５Ｂ】本発明の実施形態におけるＵＶＬＥＤ点灯装置のブロック図である。
【図５Ｃ】本発明の実施形態におけるＵＶＬＥＤ点灯装置のブロック図である。
【図５Ｄ】本発明の実施形態におけるＵＶＬＥＤ点灯装置のブロック図である。
【図６】本発明の実施形態によるＵＶＬＥＤ照射システムの一態様を示すブロック図である。
【発明を実施するための形態】
【００１５】
＜実施形態＞
図１に本発明の本実施形態による照明器具１の分解斜視図を示し、図２に照明器具１が組み立てられた場合の器具中心軸Ｘ０に沿う側方断面図を示す。照明器具１はＬＥＤ基板２、反射鏡３、前面ガラス４、器具筐体５及びヒートシンク６を備え、反射鏡３は上部反射鏡３ａ及び下部反射鏡３ｂからなる。図２に示すように、これらのＬＥＤ基板２、上部反射鏡３ａ及び下部反射鏡３ｂ、前面ガラス４、器具筐体５並びにヒートシンク６は、器具中心軸Ｘ０の方向に相互に集積されて照明器具１を構成する。
【００１６】
なお、以降の説明において使用される「上」、「下」などの表現は、説明の便宜上、図面の上下方向に従って使用されるが、同表現は照明器具１の実際の設置方向を限定するものではない。また、以降の説明で使用される「平面視」は上記の器具中心軸Ｘ０に垂直な視方向を意味するが、同表現も照明器具１の実際の設置方向を限定するものではない。また、本開示において使用される用語「ＵＶ」とは、用途に応じて適宜の波長を有する紫外線、例えば近紫外線（波長２００〜３８０ｎｍ）を含むものとする。
【００１７】
ＬＥＤ基板２は、基板背面２１及び実装面２２を有する。ＬＥＤ基板２は、例えばアルミベース基板などである。実装面２２の中心部に照明用ＬＥＤ２３（以下、「白色ＬＥＤ２３」ともいう）が実装され、実装面２２の周縁部、すなわち、白色ＬＥＤ２３の周囲に複数の（１０個の）ＵＶＬＥＤ２４が実装される。本実施形態では、ＵＶＬＥＤ２４は、白色ＬＥＤ２３を中心とする円周上に配置される。白色ＬＥＤ２３は白色光を照射するＬＥＤ素子であり、ＵＶＬＥＤ２４の各々は光触媒用の近紫外線を照射するＬＥＤ素子である。白色ＬＥＤ２３は一か所に集合配置された複数のＬＥＤ素子であり、これらは直列接続又は直並列接続される。複数のＵＶＬＥＤ２４は、直列接続又は直並列接続される。なお、各ＬＥＤ間のパターン配線の図示は省略されている。
【００１８】
なお、白色ＬＥＤ２３は、照明空間での用途に応じて、黄色（電球色）などの他の発光色のＬＥＤに代替されてもよい。すなわち、白色ＬＥＤ２３は、照明器具１の仕様に応じて適宜の可視光を照射する照明用ＬＥＤである。白色ＬＥＤ２３は、不図示の配線を介して器具外部の白色ＬＥＤ用の電源装置から直流電流の供給を受ける。複数のＵＶＬＥＤ２４は、不図示の配線を介して器具外部のＵＶＬＥＤ用の電源装置から直流電流の供給を受ける。
【００１９】
反射鏡３は、ＬＥＤ基板２側の上部反射鏡３ａ及び前面ガラス４側の下部反射鏡３ｂからなり、略円盤形状を有する。言い換えると、反射鏡３は、器具中心軸Ｘ０方向において上部反射鏡３ａ及び下部反射鏡３ｂに分割された略円盤形状部材の積層体である。上部反射鏡３ａ及び下部反射鏡３ｂは、例えば、成形されたポリカーボネートなどの耐熱性の樹脂にアルミが蒸着されて形成される。さらに、アルミ蒸着面上にＵＶ増反射膜が付加されてもよい。
【００２０】
上部反射鏡３ａは、図１に示すように、ＬＥＤ基板２の実装面２２に対向する上面３１ａ及びそれに実質的に平行な下面３２ａを有する。上部反射鏡３ａは、白色ＬＥＤ２３に対応する位置において上面３１ａから下面３２ａにかけて貫通する開口孔３３ａ、及びＵＶＬＥＤ２４に対応する位置において上面３１ａから下面３２ａにかけて貫通する１０個の開口孔３４ａを有する（図の明瞭化のために１つの符号のみを示す）。なお、１０個の開口孔３４ａの各々は同じ構造を有するので、以下ではその１つを代表して説明する。
【００２１】
図２に示すように、開口孔３３ａは、上面３１ａから下面３２ａに拡がるようにテーパ状に開口し、その側方断面（すなわち、開口孔３３ａの中心軸Ｘ１に沿った断面）は台形状である。また、各開口孔３４ａは、上面３１ａから下面３２ａに拡がるように開口し、その側方断面（すなわち、開口孔３４ａの中心軸Ｘ２に沿った断面）は略楕円形状の一部分となる。開口孔３３ａの内壁は、アルミ蒸着された反射面３５ａを形成する。各開口孔３４ａの内壁は、アルミ蒸着され、好ましくはＵＶ増反射膜が付加された反射面３６ａを形成する。なお、上部反射鏡３ａの作製工程において、開口孔３３ａの反射面３６ａにＵＶ増反射膜が付加されても問題はない。
【００２２】
下部反射鏡３ｂは、図１に示すように、上部反射鏡３ａの下面３２ａに対向する上面３１ｂ及びそれに実質的に平行な下面３２ｂを有する。下部反射鏡３ｂは、白色ＬＥＤ２３に対応する位置において上面３１ｂから下面３２ｂにかけて貫通する開口孔３３ｂ、及びＵＶＬＥＤ２４に対応する位置において上面３１ｂから下面３２ｂにかけて貫通する１０個の開口孔３４ｂを有する（図の明瞭化のために１つの符号のみを示す）。なお、１０個の開口孔３４ｂの各々は同じ構造を有するので、以下ではその１つを代表して説明する。
【００２３】
図２に示すように、開口孔３３ｂは、上面３１ｂから下面３２ｂに拡がるようにテーパ状に開口し、その側方断面（すなわち、開口孔３３ｂの中心軸Ｘ１に沿った断面）は台形状である。また、各開口孔３４ｂは、上面３１ｂから下面３２ｂに拡がるように開口し、その側方断面（すなわち、開口孔３４ｂの中心軸Ｘ２に沿った断面）は略楕円形状の一部分となる。開口孔３３ｂの内壁は、アルミ蒸着された反射面３５ｂを形成する。各開口孔３４ｂの内壁は、アルミ蒸着され、好ましくは紫外線増反射膜が付加された反射面３６ｂを形成する。なお、下部反射鏡３ｂの作製工程において、開口孔３３ｂの反射面３６ｂにＵＶ増反射膜が付加されても問題はない。
【００２４】
ここで、各開口孔３４ｂの開口角は開口孔３３ｂの開口角よりも狭い。より詳細には、開口孔３３ｂの反射面３５ｂが中心軸Ｘ１となすテーパ角をαとし、開口孔３４ｂが下面３２ｂに達する位置において反射面３６ｂ（その接線）が中心軸Ｘ２となす角をβとすると、α＞βである。すなわち、開口孔３３ｂについての開口角αは相対的に大きく、各開口孔３４ｂについての開口角βは相対的に小さい。
【００２５】
上部反射鏡３ａと下部反射鏡３ｂとが積層された場合、すなわち上部反射鏡３ａの下面３２ａと下部反射鏡３ｂの上面３１ｂとが当接された場合に、平面視において、開口孔３３ａと開口孔３３ｂとが対応し、各開口孔３４ａと各開口孔３４ｂとが対応するように位置決め構成が設けられる。例えば、上部反射鏡３ａの下面３２ａ及び下部反射鏡３ｂの上面３１ｂに、相互に嵌合可能な凹凸部が設けられてもよい。そして、上部反射鏡３ａと下部反射鏡３ｂとが相互に位置決めされた場合に、開口孔３３ａの反射面３５ａと開口孔３３ｂの反射面３５ｂとが連続的な反射面３５を形成し、開口孔３４ａの反射面３６ａと開口孔３４ｂの反射面３６ｂとが連続的な反射面３６を形成する。このように開口孔３３ａ及び開口孔３３ｂが連続して開口孔３３を構成し、各開口孔３４ａ及び各開口孔３４ｂが連続して各開口孔３４を構成する。その結果として、開口孔３３は相対的に広角となり、各開口孔３４は相対的に狭角となる。
【００２６】
図３に、上部反射鏡３ａと下部反射鏡３ｂが結合された場合の反射鏡３の概略図を示す。図３（ａ）は反射鏡３を下面３２ｂ側から観た平面図であり、図３（ｂ）は反射鏡３の側方透視図である。図３（ａ）及び図３（ｂ）においては、図の明瞭化のために、上部反射鏡３ａと下部反射鏡３ｂの境界、反射鏡３の外側部構造などの図示が省略されている。図３（ａ）に示すように、下部反射鏡３ｂの下面３２ｂは、中心部の開口孔３３ｂの開口端３３ｂｅ及びその周囲の１０個の開口孔３４ｂの開口端３４ｂｅを有する。また、上部反射鏡３ａの上面３１ａは、中心部の開口孔３３ａの開口端３３ａｅ及びその周囲の１０個の開口孔３４ａの開口端３４ａｅを有する。なお、本実施形態では、開口端３４ａｅは正方形であるが、開口端３４ａｅの形状はこれに限られず、円形などであってもよい。また、本実施形態では、器具中心軸Ｘ０に垂直な視方向において、開口孔３３がテーパ状に形成されるが、開口孔３３は楕円形状、放物面など他の二次曲面形状に形成されてもよい。また、本実施形態では、器具中心軸Ｘ０に垂直な視方向において、開口孔３４は楕円形状に形成されるが、開口孔３４はテーパ状、又は放物面などの他の二次曲面形状に形成されてもよい。いずれの場合であっても、開口孔３３（反射面３５）が相対的に広角となり、各開口孔３４（反射面３６）が相対的に狭角となるように構成される。
【００２７】
なお、本実施形態では、白色ＬＥＤ２３及びＵＶＬＥＤ２４の照射方向（光軸）、すなわち中心軸Ｘ１及びＸ２が器具中心軸Ｘ０と平行（例えば、天井又は床面に対して垂直）となるように配光設計されているが、これらの照射方向は開口孔３３及び３４の設計によって適宜変更可能である。白色ＬＥＤ２３の照射方向（中心軸Ｘ１）が器具中心軸Ｘ０となす角と、ＵＶＬＥＤ２４の照射方向（中心軸Ｘ２）が器具中心軸Ｘ０となす角とは、相互に異なっていてもよい。例えば、白色ＬＥＤ２３の照射方向（中心軸Ｘ１）が器具中心軸Ｘ０と平行であり、ＵＶＬＥＤ２４の照射方向（中心軸Ｘ２）が器具中心軸Ｘ０に対して所定の角度を有していてもよい。
【００２８】
また、図１及び図２に示すように、上部反射鏡３ａの下面３２ａには、その周縁部に隆線状の凸部３７が設けられる。凸部３７は、開口孔３３ａ及び複数の開口孔３４ａの全体を囲むように形成され、好ましくは連続体として形成される。一方、下部反射鏡３ｂの上面３１ｂには、その周縁部に溝状に凹部３８が設けられる。凹部３８は、凸部３７に対応して形成され、すなわち、開口孔３３ａ及び複数の開口孔３４ａの全体を囲むように形成され、好ましくは連続体として形成される。凸部３７と凹部３８とは相互に嵌合可能に構成される。凸部３７の高さ及び凹部３８の深さは、双方が嵌合した場合に上部反射鏡３ａの下面３２ａと下部反射鏡３ｂの上面３１ｂとが当接可能となるように設定される。
【００２９】
凹部３８が設けられることによって、上部反射鏡３ａの下面３２ａと下部反射鏡３ｂの上面３１ｂとの間に生じ得るわずかな隙間から、特にＵＶＬＥＤ２４から反射鏡３の側方外側にＵＶが漏れることが防止される。これにより、後述する樹脂製の器具筐体６に対するＵＶ照射が防止され、器具筐体６の劣化が抑制される。また、凸部３７及び凹部３８の嵌合によって、上部反射鏡３ａと下部反射鏡３ｂとの位置決めが促進される。特に、凸部３７及び凹部３８が平面視において完全な円形状でない場合には、上部反射鏡３ａと下部反射鏡３ｂとの相対的な回転が規制されて位置決め機能が向上する。また、凸部３７及び凹部３８が平面視において非対称形状である場合には、双方の嵌合によって、上部反射鏡３ａと下部反射鏡３ｂとの相対位置が確定し、誤った組立てが防止される。
【００３０】
なお、本実施形態では、上部反射鏡３ａの下面３２ａに凸部３７が設けられるとともに下部反射鏡３ｂの上面３１ｂに凹部３８が設けられるが、上部反射鏡３ａの下面３２ａに凹部３８が設けられるとともに下部反射鏡３ｂの上面３１ｂに凸部３７が設けられてもよい。また、上部反射鏡３ａの下面３２ａに凸部３７の一部及び凹部３８の一部が設けられるとともに下部反射鏡３ｂの上面３１ｂに凸部３７の残余の部分及び凹部３８の残余の部分が設けられ、凸部３７の一部と凹部３８の残余の部分とが嵌合するとともに凸部３７の残余の部分と凹部３８の一部とが嵌合するようにしてもよい。この場合、凸部３７及び凹部３８が平面視において円形であったとしても、凸部３７の一部の両端と凸部３７の残余の部分の両端とが当接することによって上部反射鏡３ａと下部反射鏡３ｂとが回転が規制され、相互の位置決めが可能となる。
【００３１】
反射鏡３の作製において、反射鏡３の少なくとも反射面３５ａ、３６ａ、３５ｂ及び３６ｂは、上述したようにアルミなどの金属の蒸着によって鏡面化される。ここで、反射鏡３が上部反射鏡３ａと下部反射鏡３ｂに分割されることにより、反射鏡３を一体形成した場合と比べて低いアスペクト比（深さ／孔径）の開口孔３３ａ、３４ａ、３３ｂ及び３４ｂが形成され、蒸着時の膜厚の均一性が向上し、鏡面性の高い反射面を得ることができる。また、反射面３６ａ及び３６ｂ（開口孔３４ａ及び３４ｂ）に対するＵＶ増反射膜の蒸着においても同様の効果が得られる。
【００３２】
前面ガラス４は、上面４１及び下面４２を有する円盤状のガラス板であり、上面４１が下部反射鏡３ｂの下面３２ｂに対向するように配置される。前面ガラス４は中心の拡散領域４３及び周縁の透明領域４４からなり、拡散領域４３は粗面化される。拡散領域４３は、反射鏡３ｂの開口孔３３ｂに対応する位置、好ましくは開口孔３３ｂを覆う位置に設けられる。すなわち、拡散領域４３の上部には、開口孔３３及び白色ＬＥＤ２３が位置する。透明領域４４は、反射鏡３ｂの複数の開口孔３４ｂに対応する位置、好ましくは複数の開口孔３３ｂを覆う位置に設けられる。すなわち、透明領域４４の上部には、複数の開口孔３４及び複数のＵＶＬＥＤ２４が位置する。拡散領域４３の粗面化処理は、上面４１及び下面４２のいずれか一方又は双方に対して、すり加工（例えば、サンドブラスト加工）、フロスト加工（例えば、サンドブラスト加工及びその後のフッ酸処理）などによって施される。
【００３３】
器具筐体５は、樹脂製のハウジングであり、一体形成された上部側の筒状部５１、中段のテーパ部５４及び下部側の平坦部５５を有する。筒状部５１は、器具中心軸Ｘ０方向に開口した環状の筒体（例えば円筒）である。筒状部５１は、内面５２及び内部上面５３を有する。反射鏡３及び前面ガラス４が内面５２及び内部上面５３に対して固定される。反射鏡３及び前面ガラス４と内面５２及び内部上面５３との相互の位置決めは、適宜の構成（相互に嵌合する全体的又は部分的構成など）によってなされるものとする。テーパ部５４は、筒状部５１から下方に開口する円錐体の一部であり、白色ＬＥＤ２３及び複数のＵＶＬＥＤ２４の照射範囲を確保する。照明器具１が天井内部に取り付けられると、平坦部５５の上面が天井面に当接し、器具中心軸Ｘ０が天井面に垂直となる。
【００３４】
ヒートシンク６は、金属製の放熱板であり、天板部６１及び側壁部６２を有する。天板部６１は、ＬＥＤ基板２の基板背面２１に接触配置され、適宜の固定部材でＬＥＤ基板２に結合される。例えば、ＬＥＤ基板２及び天板部６１の相互に対応する位置にネジ穴が切られ、このネジ穴にボルトが挿通されて双方が固定される。側壁部６２は、照明器具１が組立てられた状態において、その内周側に反射鏡３及び器具筐体５の筒状部５１を含むように構成される。必要に応じて放熱フィン（不図示）が天板部６１の上面に固定され、更なる放熱性が確保され得る。
【００３５】
＜反射鏡３の代替実施形態＞
上記実施形態では、反射鏡３が上部反射鏡３ａ及び下部反射鏡３ｂの積層体からなる構成を示したが、反射鏡３は一体形成されてもよい。また、上記実施形態では、反射鏡３が樹脂及びそれに付加された金属蒸着膜からなる構成を示したが、反射鏡３は（積層体からなる場合であっても一体形成される場合であっても）アルミなどの金属で構成されてもよい。この場合、反射鏡３は、その金属材料のプレス加工（金型成形など）によって形成され得る。反射鏡３が一体形成される場合には、当然に凸部３７及び凹部３８は不要であり、存在しない。
【００３６】
＜システム構成＞
図４Ａ〜図４Ｃに照明器具１を用いたＵＶＬＥＤ照射システム１００のブロック図の例を示す。ＵＶＬＥＤ照射システム１００は、例えば、トイレに設置され、壁掛便器（不図示）などの対象物を含む照明空間に照明を与えるとともに、光触媒加工された壁掛便器をＵＶ殺菌するものである。
【００３７】
図４Ａに示すＵＶＬＥＤ照射システム１００は、白色ＬＥＤ１１０、ＵＶＬＥＤ１２０、白色ＬＥＤ点灯装置１３０、ＵＶＬＥＤ点灯装置１４０、人感センサ１５０、臭気センサ１６０及び制御部１７０を備える。白色ＬＥＤ１１０は上述の白色ＬＥＤ２３又は複数の白色ＬＥＤ２３のアレイに対応し、ＵＶＬＥＤ１２０は上述の複数のＵＶＬＥＤ２４のアレイに対応する。上記構成要素のうち、少なくとも白色ＬＥＤ１１０及びＵＶＬＥＤ１２０が、照明器具１に設けられる。人感センサ１５０は、照明器具１（器具筐体５）に取り付けられてもよいし、照明器具１の外部（照明空間の天井など）に別置されてもよい。同様に、臭気センサ１６０は、照明器具１（器具筐体５）に取り付けられてもよいし、照明器具１の外部（照明空間の天井など）に別置されてもよい。白色ＬＥＤ点灯装置１３０、ＵＶＬＥＤ点灯装置１４０及び制御部１７０は、例えば商用電源などの交流電源から給電される。
【００３８】
白色ＬＥＤ１１０は、対象物を含む照明空間（すなわち、室内）に照明を与える照明用ＬＥＤである。白色ＬＥＤ点灯装置１３０は、交流電源からの交流電圧を直流電流に変換して、この直流電流を白色ＬＥＤ１１０に供給する。白色ＬＥＤ点灯装置１３０の動作状態は、制御部１７０によって決定される。
【００３９】
ＵＶＬＥＤ１２０は、照射範囲に含まれる壁掛便器などの対象物にＵＶを照射する。なお、対象物の表面には光触媒加工（コーティング）が施されている。すなわち、対象物にＵＶＬＥＤ１２０からＵＶが照射されると、対象物の表面の汚れ成分が光触媒作用によって分解され、これにより対象物の洗浄が行われる。ＵＶＬＥＤ点灯装置１４０は、交流電源からの交流電圧を直流電流に変換して、この直流電流をＵＶＬＥＤ１２０に供給する。ＵＶＬＥＤ点灯装置１４０の動作状態は、制御部１７０によって決定される。
【００４０】
人感センサ１５０は、室内（すなわち、トイレ全体）の人体の在／不在を検知する。人感センサ１５０は、検知エリアにおける熱の短時間的な変化を感知して人体の在／不在を検知する焦電型赤外線センサ、撮像素子によって撮像された画像に画像認識技術を適用して人体の在／不在を検知する画像センサ、又は発射したマイクロ波の反射波から人体の動きを検出して在／不在を検知するマイクロ波センサである。人感センサ１５０は、照明空間内の人体の在／不在に応じて反転する人感検知信号を生成し、この人感検知信号を制御部１７０に出力する。説明の便宜上、人感検知信号は、人体の在／不在にそれぞれ対応する在信号／不在信号からなるものとする。すなわち、在信号及び不在信号の一方が「０」で表され、他方が「１」で表される。
【００４１】
臭気センサ１６０は、対象物の臭気レベルＬａを検知する。臭気センサ１６０は、大気中のアンモニア成分を検出するセンサであり、アンモニア成分の検知量を電気信号である臭気レベルＬａに変換する。ここで、臭気センサ１６０は、（照明器具１の外部に取り付けられる場合）天井など、室内において対象物よりも高い位置に（好ましくは最も高い位置に）設置されることが好ましい。これにより、空気よりも軽いアンモニアの成分が臭気センサ１６０によって確実に検出される。臭気センサ１６０は、臭気レベルＬａを示す汚染レベル信号（例えば、アナログ信号）を生成し、汚染レベル信号を制御部１７０に出力する。
【００４２】
制御部１７０は、点消灯制御部１７１、及び反転タイマ１７３又はＵＶ用タイマ１７４を含み、マイコンなどで構成される。また、制御部１７０は、必要に応じてＵＶ強度決定部１７２を含む。制御部１７０は、人感検知信号又は汚染レベル信号に応じて、白色ＬＥＤ点灯装置１３０及びＵＶＬＥＤ点灯装置１４０の出力状態を決定する。以下に、人感センサ１５０、臭気センサ１６０、反転タイマ１７３又はＵＶ用タイマ１７４の個々の動作に関して、制御部１７０の動作を説明する。
【００４３】
点消灯制御部１７１は、人感センサ１５０から在信号が入力される場合、白色ＬＥＤ点灯装置１３０に白色ＬＥＤ１１０を点灯させ、ＵＶＬＥＤ点灯装置１４０にＵＶＬＥＤ１２０を消灯させる。一方、点消灯制御部１７１は、人感センサ１５０から不在信号が入力される場合、その入力の直後又は所定時間経過後に、白色ＬＥＤ点灯装置１３０に白色ＬＥＤ１１０を消灯させ、ＵＶＬＥＤ点灯装置１４０にＵＶＬＥＤ１２０を点灯させる。上記の所定時間は数秒であればよく、この所定時間を確保することによって、使用者が静止したことに起因して不在信号が出力されてしまった場合に（おそらくは白色ＬＥＤ１１０の消灯に応じて使用者が動くことによって在信号が再出力される）、その使用者にＵＶが照射されてしまうことを防止することができる。
【００４４】
点消灯制御部１７１は、臭気センサ１６０からの汚染レベル信号の周期レベルＬｏが所定のオン閾値を超えた場合に、ＵＶＬＥＤ点灯装置１４０にＵＶＬＥＤ１２０を点灯させる。そして、点消灯制御部１７１は、汚染レベル信号の周期レベルＬｏがオフ閾値未満となった場合に、ＵＶＬＥＤ点灯装置１４０にＵＶＬＥＤ１２０を消灯させる。なお、オフ閾値はオン閾値未満であることが好ましい。
【００４５】
ＵＶ強度決定部１７２は、ＵＶＬＥＤ点灯装置１４０の出力を制御する。例えば、ＵＶ強度決定部１７２は、臭気センサ１６０からの汚染レベル信号の臭気レベルＬａに応じて、ＵＶＬＥＤ点灯装置１４０の出力を制御する。一例として、ＵＶ強度決定部１７２は、臭気レベルＬａの増加／減少に応じてＵＶＬＥＤ１２０からのＵＶ照射強度がそれぞれ増加／減少するようにＵＶＬＥＤ点灯装置１４０の出力状態を決定するように構成され得る。ただし、システム構成の簡素化のために、ＵＶ強度決定部１７２は省略されてもよい。
【００４６】
反転タイマ１７３は、時刻に応じて白色ＬＥＤ１１０の点灯／消灯とＵＶＬＥＤ１２０の消灯／点灯とを切り換える（反転する）ように白色ＬＥＤ点灯装置１３０及びＵＶＬＥＤ点灯装置１４０の出力を制御する。反転タイマ１７３は、例えば、照明空間における業務時間内には白色ＬＥＤ１１０が点灯されるとともにＵＶＬＥＤ１２０が消灯され、業務時間外には白色ＬＥＤ１１０が消灯されるとともにＵＶＬＥＤ１２０が点灯されるように設定される。ＵＶＬＥＤ照射システム１００が駅舎のトイレに設置される場合には、業務時間は駅が利用可能となる時間帯に対応する。ＵＶＬＥＤ照射システム１００が商業施設のトイレに設置される場合には、業務時間は商業施設の営業時間に対応する。
【００４７】
ＵＶ用タイマ１７４は、白色ＬＥＤ１１０の点消灯には関与せず、時刻に応じてＵＶＬＥＤ１２０の点消灯のためにＵＶＬＥＤ点灯装置１４０の出力を制御する。ＵＶ用タイマ１７４は、例えば、特定の時間帯に、白色ＬＥＤ１１０の点灯状態にかかわらず、ＵＶＬＥＤ１２０が点灯されるように設定される。これは、例えば駅舎のトイレなどにおいて、ラッシュ後の時間帯（すなわち、壁掛便器などの対象物の汚染度が高くなる時間）に、例外的に白色ＬＥＤ１１０及びＵＶＬＥＤ１２０の双方の点灯を行うものである。このＵＶ用タイマ１７４によりＵＶＬＥＤ１２０が点灯される場合、トイレの使用者が受けるＵＶ量を軽減するために、ＵＶ強度決定部１７２及びＵＶＬＥＤ点灯装置１４０はＵＶＬＥＤ１２０を低出力状態で点灯させてもよいし、間欠的に点灯させてもよい。
【００４８】
なお、白色ＬＥＤ１１０及びＵＶＬＥＤ１２０の点消灯状態を決定するための人感センサ１５０、臭気センサ１６０、反転タイマ１７３又はＵＶ用タイマ１７４は、設置場所、用途などに応じて選択的に採用され得る。例えば、人感センサ１５０、臭気センサ１６０、反転タイマ１７３又はＵＶ用タイマ１７４は単独で使用されてもよいし、人感センサ１５０及び臭気センサ１６０が併用されてもよい。人感センサ１５０及び臭気センサ１６０が併用される場合、使用者の在／不在と臭気レベルＬａが閾値を超えているか否かとの組合せに対する白色ＬＥＤ１１０及びＵＶＬＥＤ１２０の点消灯の関係は以下の通りである。なお、臭気レベルＬａがオン閾値を超えてからオフ閾値を下回るまでの状態を臭気Ｈｉｇｈといい、それ以外の状態を臭気Ｌｏｗというものとする。
使用者在、臭気Ｈｉｇｈ・・・・白色ＬＥＤ１１０：点灯、ＵＶＬＥＤ１２０：消灯
使用者在、臭気Ｌｏｗ・・・・・白色ＬＥＤ１１０：点灯、ＵＶＬＥＤ１２０：消灯
使用者不在、臭気Ｈｉｇｈ・・・白色ＬＥＤ１１０：消灯、ＵＶＬＥＤ１２０：点灯
使用者不在、臭気Ｌｏｗ・・・・白色ＬＥＤ１１０：消灯、ＵＶＬＥＤ１２０：消灯
【００４９】
また、使用者不在かつ臭気Ｌｏｗの状態において、ＵＶ強度決定部１７２がＵＶＬＥＤ点灯装置１４０にＵＶＬＥＤ１２０を低出力で点灯させるようにしてもよい。この低出力点灯は、汚染レベルが低下しないまでも増加しないようなＵＶ強度での点灯であればよい。これにより、その後の時間において、使用者在の状態が長時間にわたって継続し、臭気レベルＬａがオン閾値を超えたにもかかわらずＵＶＬＥＤ１２０の消灯状態を継続させなければならない状態が発生する可能性が低減される。
【００５０】
図５Ａ及び図５Ｂは、図４Ａに示すＵＶＬＥＤ照射システム１００において少なくとも人感センサ１５０及び臭気センサ１６０が採用される場合のＵＶＬＥＤ点灯装置１４０の構成を説明する図である。なお、図５Ａ及び図５Ｂ（並びに後述の図５Ｃ及び図５Ｄ）では、図の明瞭化のためにＵＶＬＥＤ１２０として３個のＬＥＤ素子のみを示すが、実際の接続数はこれに限られない。ＵＶＬＥＤ点灯装置１４０は、整流回路及びＤＣ／ＤＣコンバータで構成され得る。
【００５１】
図５Ａに、ＤＣ／ＤＣコンバータの一例として、フライバックコンバータを示す。例えば、ＵＶＬＥＤ点灯装置１４０は、整流回路１４１、入力コンデンサ１４２、トランス１４３、スイッチング素子（ＦＥＴ）１４４、ダイオード１４５、出力コンデンサ１４６及びドライバ１４７を備える。ＦＥＴ１４４は、ドライバ１４７によってＰＷＭ駆動される。制御部１７０（点消灯制御部１７１）は、使用者在又は臭気Ｌｏｗの状態においてドライバ１４７の動作を停止させてＦＥＴ１４４をオフに維持する。一方、制御部１７０は、使用者不在かつ臭気Ｈｉｇｈの状態に応じてドライバ１４７にＦＥＴ１４４を駆動させる。また、ＵＶ強度決定部１７２が設けられる場合には、制御部１７０は、臭気レベルＬａの増加／減少に応じて、ＦＥＴ１４４のＰＷＭ駆動におけるオン時間（又はオンデューティ）を増加／減少させ、ＵＶＬＥＤ１２０によるＵＶ照射強度を増加／減少させる。なお、白色ＬＥＤ点灯装置１３０も、上記と同様の構成のＤＣ／ＤＣコンバータを有していればよい。
【００５２】
また、図５Ｂに示すように、スイッチ素子（ＦＥＴ）１４９がＤＣ／ＤＣコンバータ１４８の出力経路に挿入接続されてもよい。なお、ＤＣ／ＤＣコンバータ１４８には、フライバックコンバータ、力率改善回路＋降圧チョッパ回路（バック型コンバータ）など、任意の形態のコンバータが採用され得る。制御部１７０（点消灯制御部１７１）は、使用者在又は臭気Ｌｏｗの状態においてＦＥＴ１４９をオフに維持し、使用者不在かつ臭気Ｈｉｇｈの状態においてＦＥＴ１４９をオンする。また、ＵＶ強度決定部１７２が設けられる場合には、制御部１７０は、臭気レベルＬａの増加に応じて、ＦＥＴ１４９のＰＷＭ駆動におけるオンデューティを増加／減少させて、ＵＶＬＥＤ１２０からのＵＶ照射強度を増加／減少させる。ＦＥＴ１４９のＰＷＭ駆動におけるスイッチング周波数は、０．１Ｈｚ〜１００ｋＨｚ程度であればよい。ＵＶＬＥＤ１２０の点灯は使用者の不在時を前提とするため、そしてＵＶ照射自体が可視光ではないため、点灯に起因するちらつきなどが現れてもよい。したがって、スイッチング周波数の下限は、制御部１７０及びＦＥＴ１４９の性能などに応じて決定される。また、スイッチング周波数の上限は、制御部１７０及びＦＥＴ１４９の性能、スイッチングノイズの要件などに応じて決定される。
【００５３】
図４Ｂに示すＵＶＬＥＤ照射システム１００は、白色ＬＥＤ１１０、ＵＶＬＥＤ１２０、人感センサ１５０、臭気センサ１６０、制御部１７０及び白色／ＵＶＬＥＤ共用点灯装置１８０（以下、「共用点灯装置１８０」という）を備える。共用点灯装置１８０は、交流電源からの交流電圧を直流電流に変換して、この直流電流を白色ＬＥＤ１１０又はＵＶＬＥＤ１２０に供給する。共用点灯装置１８０の動作状態は、制御部１７０によって決定される。
【００５４】
図５Ｃは、図４Ｂに示すＵＶＬＥＤ照射システム１００において少なくとも人感センサ１５０及び臭気センサ１６０が採用される場合の共用点灯装置１８０の構成を説明する図である。共用点灯装置１８０は、整流回路１８１、ＤＣ／ＤＣコンバータ１８２並びにスイッチ素子（ＦＥＴ）１８３及び１８４を備える。整流回路１８１及びＤＣ／ＤＣコンバータ１８２は、図５Ｂの整流回路１４１及びＤＣ／ＤＣコンバータ１４８と実質的に同様である。ＦＥＴ１８３はＤＣ／ＤＣコンバータ１８２と白色ＬＥＤ１１０の間の出力経路に挿入接続され、ＦＥＴ１８４はＤＣ／ＤＣコンバータ１８２とＵＶＬＥＤ１２０の間の出力経路に挿入接続される。
【００５５】
制御部１７０（点消灯制御部１７１）は、使用者在の状態においてＦＥＴ１８３をオンに維持するとともにＦＥＴ１８４をオフに維持し、使用者不在かつ臭気Ｈｉｇｈの状態においてＦＥＴ１８３をオフに維持するとともにＦＥＴ１８４をオンに維持する。制御部１７０（点消灯制御部１７１）は、使用者不在かつ臭気Ｌｏｗの状態においては、ＦＥＴ１８３及びＦＥＴ１８４をオフに維持する。ただし、この場合は、制御部１７０から共用点灯装置１８０への制御信号（図５Ｃの破線参照）によって、ＦＥＴ１８３又は１８４の動作とは別に共用点灯装置１８０の出力動作を停止させてもよい。また、ＵＶ強度決定部１７２が設けられる場合には、制御部１７０は、図５ＢのＦＥＴ１４９の駆動と同様に、ＦＥＴ１８４のＰＷＭ駆動におけるオンデューティを増加／減少させてＵＶＬＥＤ１２０からのＵＶ照射強度を増加／減少させることができる。
【００５６】
図４Ｃに示すＵＶＬＥＤ照射システム１００は、白色ＬＥＤ１１０、ＵＶＬＥＤ１２０、人感センサ１５０、臭気センサ１６０、制御部１７０、共用点灯装置１８０及び切替スイッチ１８５を備える。切替スイッチ１８５は、リレースイッチなどである。共用点灯装置１８０及び切替スイッチ１８５の動作状態は、制御部１７０によって決定される。
【００５７】
図５Ｄは、図４Ｃに示すＵＶＬＥＤ照射システム１００において少なくとも人感センサ１５０及び臭気センサ１６０が採用される場合の共用点灯装置１８０及び切替スイッチ１８５の構成を説明する図である。共用点灯装置１８０は、整流回路１８１及びＤＣ／ＤＣコンバータ１８２を備える。切替スイッチ１８５は、ＤＣ／ＤＣコンバータ１８２と白色ＬＥＤ１１０及びＵＶＬＥＤ１２０との間の出力経路に挿入接続される。
【００５８】
制御部１７０（点消灯制御部１７１）は、使用者在の状態において切替スイッチ１８５を白色ＬＥＤ１１０側の接点Ｃ１に位置させ、使用者不在かつ臭気Ｈｉｇｈの状態において切替スイッチ１８５をＵＶＬＥＤ１２０側の接点Ｃ２に維持する。制御部１７０（点消灯制御部１７１）は、使用者不在かつ臭気Ｌｏｗの状態においては、制御部１７０から共用点灯装置１８０への制御信号によって、切替スイッチ１８５の動作とは別に共用点灯装置１８０の出力動作を停止させてもよい。あるいは、切替スイッチ１８５が非接続接点（すなわち、白色ＬＥＤ１１０にもＵＶＬＥＤ１２０にも接続されない接点）を有する場合には、使用者不在かつ臭気Ｌｏｗの状態において、制御部１７０（点消灯制御部１７１）は切替スイッチ１８５を当該非接続接点に位置させる。また、ＵＶ強度決定部１７２が設けられる場合には、制御部１７０は、図５Ａのドライバ１４７の制御と同様にＤＣ／ＤＣコンバータ１８２を制御してＵＶＬＥＤ１２０からのＵＶ照射強度を増加／減少させることができる。
【００５９】
上記の共用点灯装置１８０（ＤＣ／ＤＣコンバータ１８２）の一実施例を以下に示す。本例では、白色ＬＥＤ１１０は、２個の白色ＬＥＤ素子の直列回路が２列並列接続された回路（すなわち、４個の白色ＬＥＤ素子の直並列接続回路）で構成される。ＵＶＬＥＤ１２０は、６個の白色ＬＥＤ素子の直列回路が２列並列接続された回路（すなわち、１２個の白色ＬＥＤ素子の直並列接続回路）で構成される。白色ＬＥＤ素子及びＵＶＬＥＤ素子の各々の定格電流はともに７００ｍＡであり、白色ＬＥＤ素子の１素子当たりの順方向電圧Ｖｆは１１．９Ｖであり、ＵＶＬＥＤ素子の１素子当たりの順方向電圧Ｖｆは３．７Ｖである。すなわち、出力電流：１４００ｍＡ（７００ｍＡ×２）及び出力電圧：２２〜２４Ｖ（１１．９Ｖ×２＝２３．８Ｖ、３．７Ｖ×６＝２２．２Ｖ）の共用点灯装置１８０が、白色ＬＥＤ１１０及びＵＶＬＥＤ１２０に共通の点灯装置となる。
【００６０】
図４Ｂ及び図４Ｃ並びに図５Ｃ及び図５Ｄに示したように、白色ＬＥＤ１１０及びＵＶＬＥＤ１２０に対して点灯装置を共用化することによって、システムの小規模化及び低コスト化が可能となる。なお、制御部１７０が、ＤＣ／ＤＣコンバータ１８２が白色ＬＥＤ１１０又はＵＶＬＥＤ１２０のいずれに接続されるのかに応じて共用点灯装置１８０の出力を調整する調整機能を有していてもよい。この場合、白色ＬＥＤ１１０とＵＶＬＥＤ１２０の定格値（定格電流又は順方向電圧Ｖｆ）が異なっていても、共用点灯装置１８０が白色ＬＥＤ１１０及びＵＶＬＥＤ１２０に共通の点灯装置となり得る。
【００６１】
本実施形態のＵＶＬＥＤ照射システム１００は、上述したように、各１つの白色ＬＥＤ１１０、ＵＶＬＥＤ１２０、白色ＬＥＤ点灯装置１３０及びＵＶＬＥＤ点灯装置１４０又は共用点灯装置１８０（及び切替スイッチ１８５）、人感センサ１５０、臭気センサ１６０並びに制御部１７０を１ユニットとして成立する。一方、ＵＶＬＥＤ照射システム１００が複数の照明器具１を含む場合に、人感センサ１５０及び臭気センサ１６０の設置数は、照明器具１の設置数よりも少なくてもよい（すなわち、人感センサ１５０及び臭気センサ１６０が複数の照明器具１に共有されてもよい）。
【００６２】
例えば、図６に示すように、ＵＶＬＥＤ照射システム１００は、照明空間に対して、１つの人感センサ１５０、１つの臭気センサ１６０及び１つの制御部１７０並びにｎ個のユニットＵ−１〜Ｕ−ｎを備えるようにしてもよい。この場合、ユニットＵ−１〜Ｕ−ｎの各々が、白色ＬＥＤ１１０、白色ＬＥＤ点灯装置１３０、ＵＶＬＥＤ１２０及びＵＶＬＥＤ点灯装置１４０を備える。また、白色ＬＥＤ点灯装置１３０及びＵＶＬＥＤ点灯装置１４０の代わりに共用点灯装置１８０（及び切替スイッチ１８５）が採用されてもよい。なお、ユニットＵ−１〜Ｕ−ｎを総称して又はいずれか１つを代表してユニットＵという。
【００６３】
この構成では、人感センサ１５０から在信号が出力される場合、制御部１７０の点消灯制御部１７１（不図示）が、各ユニットＵの白色ＬＥＤ点灯装置１３０に白色ＬＥＤ１１０を点灯させ、ＵＶＬＥＤ点灯装置１４０にＵＶＬＥＤ１２０を消灯させる。一方、人感センサ１５０から不在信号が出力される場合、制御部１７０の点消灯制御部１７１が、各ユニットＵの各々の白色ＬＥＤ点灯装置１３０に白色ＬＥＤ１１０を消灯させる。さらに、人感センサ１５０から不在信号が出力される場合でかつ臭気センサ１６０からの汚染レベル信号が臭気Ｈｉｇｈを示す場合には、制御部１７０の点消灯制御部１７１が、各ユニットＵの各々のＵＶＬＥＤ点灯装置１４０にＵＶＬＥＤ１２０を点灯させる。また、ＵＶ強度決定部１７２（不図示）が設けられる場合には制御部１７０は、臭気センサ１６０からの汚染レベル信号の臭気レベルに応じて、各ユニットＵのＵＶＬＥＤ点灯装置１４０の出力を制御するようにしてもよい。
【００６４】
なお、ＵＶＬＥＤ照射システム１００の構成には、種々のバリエーションが可能である。例えば、人感センサ１５０の設置数と臭気センサ１６０の設置数とは異なっていてもよい。複数の人感センサ１５０が同じ室内に設置される場合には、複数の不在信号の論理和（ＯＲ）が採用されるものとする。また、複数の臭気センサ１６０が同じ室内に設置される場合には、複数の汚染レベル信号が示す臭気レベルの平均値、中央値又は最大値が採用されるものとする。また、１つのＵＶＬＥＤ１２０の照射エリアが、１つの対象物に対応するようにしてもよいし、複数の対象物を含むようにしてもよい。
【００６５】
＜実施形態の照明器具１の総括＞
以上のように、本実施形態の照明器具１は、可視光を照射する照明用ＬＥＤ２３及びＵＶを照射するＵＶＬＥＤ２４が実装面２２に実装されたＬＥＤ基板２と、実装面２２に対向する第１の主面（上面３１ａ）及び上面３１ａに平行な第２の主面（下面３２ｂ）を有し、照明用ＬＥＤ２３に対応する位置において上面３１ａから下面３２ｂにかけて相対的に広角に開口する反射面３５で画定される開口孔３３及びＵＶＬＥＤ２４のそれぞれに対応する位置において上面３１ａから下面３２ｂにかけて相対的に狭角に開口する反射面３６で画定される開口孔３４を有する反射鏡３と、ＬＥＤ基板２及び反射鏡３を相互に固定する器具筐体５とを備える。
【００６６】
上記構成の照明器具１によると、反射鏡３が、照明用ＬＥＤ２３に対応する位置において相対的に広角で開口する反射面３５で画定される開口孔３３及びＵＶＬＥＤ２４に対応する位置において相対的に狭角で開口する反射面３６で画定される開口孔３４を有する。このように、レンズを用いることなく照明光の広角照射とＵＶの狭角照射とが両立される。したがって、照明光の広角照射及びＵＶの狭角照射の双方を可能とする低コストな照明器具１が実現される。
【００６７】
ここで、複数のＵＶＬＥＤ２４が照明用ＬＥＤ２３を中心とする円周上に配置され、複数の開口孔３４が開口孔３３を中心とする円周上において複数のＵＶＬＥＤ２４に対応して配置されることが好ましい。これにより、比較的高出力の発光が可能な照明用ＬＥＤ２３及び比較的低出力のＵＶＬＥＤ２４について、スペース効率の高い合理的配置が実現され、さらに照明器具１の汎用性が確保される。
【００６８】
また、照明器具１は、反射鏡３の下面３２ｂ側に配置され、開口孔３３を覆う粗面化された拡散領域４３及び複数の開口孔３４を覆う透明領域４４を有する前面ガラス４をさらに備える。これにより、照明用ＬＥＤ２３からの可視光照射の更なる広角化が可能となるとともに、照明器具１の耐ＵＶ性及び低コスト性が保持される。なお、拡散領域４３の粗面化の処理は、前面ガラス４の上面４１又は下面４２の少なくとも一方のすり加工又はフロスト加工であることが好ましい。これにより、前面ガラスの低コスト性が保持される。
【００６９】
また、反射鏡３は、上面３１ａ側の上部反射鏡３ａ及び下面３２ｂ側の下部反射鏡３ｂの積層体からなり、開口孔３３の反射面３５及び開口孔３４の反射面３６のそれぞれが上部反射鏡３ａと下部反射鏡３ｂとの間で連続的に形成されるように上部反射鏡３ａと下部反射鏡３ｂとが当接されるように構成される。これにより、反射鏡３に蒸着処理が施される場合に、反射鏡３が一体形成される場合と比べて開口孔３３及び３４のアスペクト比が減少し、均一な蒸着膜の形成が可能となる。
【００７０】
さらに、上部反射鏡３ａと下部反射鏡３ｂの当接面３２ａ及び３１ｂにおいて、上部反射鏡３ａ又は下部反射鏡３ｂの一方が開口孔３３及び開口孔３４の全体を囲む凸部３７を有し、上部反射鏡３ａ又は下部反射鏡３ｂの他方は凸部３７と嵌合する凹部３８を有する。これにより、開口孔３３及び３４から上記当接面に生じ得るわずかな隙間を介して反射鏡３の外部に漏れ得るＵＶが凸部３７によって遮蔽されるので、器具筐体５におけるＵＶ照射に起因する劣化が抑制される。また、凸部３７及び凹部３８の嵌合によって、上部反射鏡３ａと下部反射鏡３ｂとの位置決めが促進される。
【００７１】
また、反射鏡３は、金属材料が蒸着された樹脂材料で構成され得る。これにより照明器具１の軽量化が可能となる。あるいは、反射鏡３は、プレス加工された金属材料で構成されてもよい。これにより、反射鏡３の量産性が高まり、加工コストの低減が可能となる。
【００７２】
照明器具１は、ＬＥＤ基板２の基板背面２１に接触配置されたヒートシンク６をさらに備えることが望ましい。このように、照明器具１の温度上昇が抑制されることにより、照明用ＬＥＤ２３及びＵＶＬＥＤ２４の動作温度が適正化されるだけでなく、ＬＥＤ基板２、反射鏡３、前面ガラス４及び器具筐体５の熱膨張係数の相違に起因する配光のずれが抑制される。
【００７３】
＜変形例＞
以上に本発明の好適な実施形態を示したが、本発明は、例えば以下に示すように種々の態様に変形可能である。
【００７４】
（１）白色ＬＥＤ２３及びＵＶＬＥＤ２４の配置などに関する変形
上記実施形態では、照明器具１の汎用性などを考慮して、１か所の白色ＬＥＤ２３及びそれを中心とする円周上に均等配置された１０個（１０か所）のＵＶＬＥＤ２４を例示したが、白色ＬＥＤ２３及びＵＶＬＥＤ２４の数及び配置はこれに限られない。例えば、白色ＬＥＤ２３の実装数（又は実装箇所数）は照明器具１に求められる照度に応じて増加されてもよいし、ＵＶＬＥＤ２４の実装数（又は実装箇所数）は照明器具１に求められるＵＶ照射強度に応じて増減されてもよい。
【００７５】
また、上記実施形態では白色ＬＥＤ２３の周囲に複数のＵＶＬＥＤ２４が配置される構成を示したが、これらの配置はこれに限られない。例えば、複数の白色ＬＥＤ２３が配置される場合には、複数の白色ＬＥＤ２３が複数のＵＶＬＥＤ２４の分布の中に分散配置されてもよい。また、複数の白色ＬＥＤ２３が複数のＵＶＬＥＤ２４の一部又は全部よりも外周側に配置されてもよいし、上記実施形態と同様に複数のＵＶＬＥＤ２４の全てが複数の白色ＬＥＤ２３よりも外周側に配置されてもよい。
【００７６】
また、照明器具１の仕様に応じて、ＵＶＬＥＤ２４は、器具中心軸Ｘ０に対して対称配置されなくてもよい。例えば、平面視において白色ＬＥＤ２３とＵＶＬＥＤ２４とが偏在配置されてもよいし、さらに直線で切った２領域に分けて配置されてもよい。上記いずれの場合（いずれの数又は配置）においても、反射鏡３において、白色ＬＥＤ２３の配置に対応して開口孔３３が設けられ、ＵＶＬＥＤ２４の配置に対応して開口孔３４が設けられる。また、上記いずれの場合においても、前面ガラス４において、開口孔３３の配置に対応して拡散領域４３が設けられ、開口孔３４の配置に対応して透明領域４４が設けられる。
【００７７】
（２）臭気センサ１６０に関する変形
上記実施形態では、臭気センサ１６０がアンモニアを検出するセンサである構成を示したが、臭気センサ１６０はメタンチオール、硫化水素、アミン類などの他の臭気成分を検出するセンサであってもよい。また、臭気センサ１６０は、上記臭気成分の２つ以上を検出可能なセンサであってもよい。
【符号の説明】
【００７８】
１  照明器具
２  ＬＥＤ基板
２１  基板背面
２２  実装面
２３  照明用ＬＥＤ（白色ＬＥＤ）
２４  ＵＶＬＥＤ
３  反射鏡
３ａ  上部反射鏡
３ｂ  下部反射鏡
３１ａ、３１ｂ  上面
３２ａ、３２ｂ  下面
３３、３３ａ、３３ｂ、３４、３４ａ、３４ｂ  開口孔
３５、３５ａ、３５ｂ、３６、３６ａ、３６ｂ  反射面
３７  凸部
３８  凹部
４  前面ガラス
４１  上面
４２  下面
４３  拡散領域
４４  透明領域
５  器具筐体
６  ヒートシンク
【図１】
2020009698.tif 000003
【図２】
2020009698.tif 000004
【図３】
2020009698.tif 000005
【図４Ａ】
2020009698.tif 000006
【図４Ｂ】
2020009698.tif 000007
【図４Ｃ】
2020009698.tif 000008
【図５Ａ】
2020009698.tif 000009
【図５Ｂ】
2020009698.tif 000010
【図５Ｃ】
2020009698.tif 000011
【図５Ｄ】
2020009698.tif 000012
【図６】
2020009698.tif 000013